【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系を備え、撮像装置から受信した情報に基づいて当該撮影光学系の駆動を制御可能な交換レンズを装着可能な撮像装置であって、
前記撮影光学系の光路上に光学フィルタを挿抜可能なフィルタ駆動手段と、
前記光学フィルタの挿入状態を検出する検出手段と、
前記検出手段で検出された前記光学フィルタの挿入状態の変化に基づいて、被写体像の結像位置の移動量を演算し、当該被写体像の結像位置の移動量についての情報と前記光学フィルタの挿入状態を示す情報を前記交換レンズに送信する制御手段とを有することを特徴とする撮像装置。
【請求項２】
光学フィルタを挿抜可能な撮像装置に装着可能な交換レンズであって、
フォーカスレンズを含む撮影光学系と、
前記フォーカスレンズの移動量と被写体像の結像位置の移動量との関係についての第１の情報が前記フォーカスレンズの位置ごとに予め記憶された記憶手段と、
前記光学フィルタの挿入状態を示す情報と、被写体像の結像位置の移動量についての情報を前記撮像装置から受信し、受信した当該情報、及び前記フォーカスレンズの位置に対応する前記第１の情報に基づいて、前記フォーカスレンズの移動量を決定し当該フォーカスレンズの駆動を制御するレンズ側制御手段とを有することを特徴とする交換レンズ。
【請求項３】
前記レンズ側制御手段は、前記撮像装置から受信した前記光学フィルタの挿入状態を示す情報に基づいて、前記光学フィルタの挿入状態の変化を判別可能であることを特徴とする請求項２に記載の交換レンズ。
【請求項４】
前記記憶手段は、被写体像の結像位置の移動量を前記フォーカスレンズの移動量に換算するための第２の情報を前記フォーカスレンズの位置ごとに記憶し、
前記レンズ側制御手段は、受信した被写体像の結像位置の移動量についての情報と、前記フォーカスレンズの位置に対応する前記第１の情報及び前記第２の情報に基づいて、前記フォーカスレンズの移動量を決定し当該フォーカスレンズの駆動を制御することを特徴とする請求項２又は３に記載の交換レンズ。
【請求項５】
前記記憶手段は、前記撮像装置から受信した被写体像の結像位置の移動量についての情報を記憶し、
前記撮像装置から新たに受信した情報に基づく被写体像の結像位置の移動量と、前記記憶手段に記憶されている情報に基づく被写体像の結像位置の移動量との差分が所定値を超えたとき、前記レンズ側制御手段は、新たに受信した被写体像の結像位置の移動量についての情報、及び前記フォーカスレンズの位置に対応する前記第１の情報に基づいて、前記フォーカスレンズの移動量を決定し当該フォーカスレンズの駆動を制御することを特徴とする請求項２乃至４のいずれか１項に記載の交換レンズ。
【請求項６】
前記第１の情報は、前記フォーカスレンズの移動量と被写体像の結像位置の移動量との比率についての情報であることを特徴とする請求項２乃至５のいずれか１項に記載の交換レンズ。
【請求項７】
光学フィルタを挿抜可能な撮像装置に装着可能な交換レンズであって、
フォーカスレンズ及びズームレンズを含む撮影光学系と、
前記フォーカスレンズの移動量と被写体像の結像位置の移動量との関係についての第１の情報が前記フォーカスレンズ及び前記ズームレンズの位置ごとに予め記憶された記憶手段と、
前記光学フィルタの挿入状態を示す情報と、被写体像の結像位置の移動量についての情報を前記撮像装置から受信し、受信した当該情報と、前記フォーカスレンズの位置及び前記ズームレンズの位置に対応する前記第１の情報に基づいて、前記フォーカスレンズの移動量を決定し当該フォーカスレンズの駆動を制御するレンズ側制御手段とを有することを特徴とする交換レンズ。
【請求項８】
前記レンズ側制御手段は、前記撮像装置から受信した前記光学フィルタの挿入状態を示す情報に基づいて、前記光学フィルタの挿入状態の変化を判別可能であることを特徴とする請求項７に記載の交換レンズ。
【請求項９】
前記記憶手段は、被写体像の結像位置の移動量を前記フォーカスレンズの移動量に換算するための第２の情報を前記フォーカスレンズの位置及び前記ズームレンズの位置ごとに記憶し、
前記レンズ側制御手段は、受信した被写体像の結像位置の移動量についての情報と、前記フォーカスレンズの位置及び前記ズームレンズの位置に対応する前記第１の情報及び前記第２の情報に基づいて、前記フォーカスレンズの移動量を決定し当該フォーカスレンズの駆動を制御することを特徴とする請求項７又は８に記載の交換レンズ。
【請求項１０】
前記記憶手段は、前記撮像装置から受信した被写体像の結像位置の移動量についての情報を記憶し、
前記撮像装置から新たに受信した情報に基づく被写体像の結像位置の移動量と、前記記憶手段に記憶されている情報に基づく被写体像の結像位置の移動量との差分が所定値を超えたとき、前記レンズ側制御手段は、新たに受信した被写体像の結像位置の移動量についての情報と、前記フォーカスレンズの位置及び前記ズームレンズの位置に対応する前記第１の情報に基づいて、前記フォーカスレンズの移動量を決定し当該フォーカスレンズの駆動を制御することを特徴とする請求項７乃至９のいずれか１項に記載の交換レンズ。
【請求項１１】
前記第１の情報は、前記フォーカスレンズの移動量と被写体像の結像位置の移動量との比率についての情報であることを特徴とする請求項７乃至１０のいずれか１項に記載の交換レンズ。
【請求項１２】
フォーカスレンズを含む撮影光学系を備え、撮像装置から受信した情報に基づいて当該撮影光学系の駆動を制御可能な交換レンズを装着可能な撮像装置の制御方法であって、
前記撮影光学系の光路上に光学フィルタを挿抜可能なフィルタ駆動ステップと、
前記光学フィルタの挿入状態を検出する検出ステップと、
前記検出ステップで検出された前記光学フィルタの挿入状態の変化に基づいて、被写体像の結像位置の移動量を演算する演算ステップと、
当該被写体像の結像位置の移動量についての情報と前記光学フィルタの挿入状態を示す情報を前記交換レンズに送信する送信ステップとを有することを特徴とする撮像装置の制御方法。
【請求項１３】
光学フィルタを挿抜可能な撮像装置に装着可能で、フォーカスレンズを含む撮影光学系と、
前記フォーカスレンズの移動量と被写体像の結像位置の移動量との関係についての第１の情報が前記フォーカスレンズの位置ごとに予め記憶された記憶手段とを備える交換レンズの制御方法であって、
前記光学フィルタの挿入状態を示す情報と、被写体像の結像位置の移動量についての情報を前記撮像装置から受信する受信ステップと、
受信した当該情報、及び前記フォーカスレンズの位置に対応する前記第１の情報に基づいて、前記フォーカスレンズの移動量を決定し当該フォーカスレンズの駆動を制御する制御ステップとを有することを特徴とする交換レンズの制御方法。
【請求項１４】
光学フィルタを挿抜可能な撮像装置に装着可能で、フォーカスレンズ及びズームレンズを含む撮影光学系と、前記フォーカスレンズの移動量と被写体像の結像位置の移動量との関係についての第１の情報が前記フォーカスレンズ及び前記ズームレンズの位置ごとに予め記憶された記憶手段とを備える交換レンズの制御方法であって、
前記光学フィルタの挿入状態を示す情報と、被写体像の結像位置の移動量についての情報を前記撮像装置から受信する受信ステップと、
受信した当該情報と、前記フォーカスレンズの位置及び前記ズームレンズの位置に対応する前記第１の情報に基づいて、前記フォーカスレンズの移動量を決定し当該フォーカスレンズの駆動を制御する制御ステップとを有することを特徴とする交換レンズの制御方法。
【手続補正２】
【補正対象書類名】明細書
【補正対象項目名】発明の名称
【補正方法】変更
【補正の内容】
【発明の名称】撮像装置及び交換レンズ、撮像装置の制御方法及び交換レンズの制御方法
【手続補正３】
【補正対象書類名】明細書
【補正対象項目名】０００８
【補正方法】変更
【補正の内容】
【０００８】
しかしながら、交換レンズタイプのカメラにおいては、光学特性が異なる多種類のレンズがカメラ本体に装着されるため、フォーカスレンズ位置の補正量をあらかじめカメラ本体に記憶しておくことはできない。同様に交換レンズ側についても、フィルタが異なる多種類のカメラ本体が装着されるため、補正量を交換レンズに記憶しておくことはできない。そのため、交換レンズタイプのカメラにおいては、レンズ一体型ビデオカメラのようにＮＤフィルタの挿抜によるピントずれを補正することができないという問題があった。この問題は、以下に述べるように、ビデオカメラのズームレンズのレンズ構成として一般的なリアフォーカスタイプのレンズを装着して動画撮影を行う場合に顕著となる。
【手続補正４】
【補正対象書類名】明細書
【補正対象項目名】００１１
【補正方法】変更
【補正の内容】
【００１１】
上記目的を達成するため、第１の本発明は、フォーカスレンズを含む撮影光学系を備え、撮像装置から受信した情報に基づいて当該撮影光学系の駆動を制御可能な交換レンズを装着可能な撮像装置であって、前記撮影光学系の光路上に光学フィルタを挿抜可能なフィルタ駆動手段と、前記光学フィルタの挿入状態を検出する検出手段と、前記検出手段で検出された前記光学フィルタの挿入状態の変化に基づいて、被写体像の結像位置の移動量を演算し、当該被写体像の結像位置の移動量についての情報と前記光学フィルタの挿入状態を示す情報を前記交換レンズに送信する制御手段とを有することを特徴とする撮像装置である。
【手続補正５】
【補正対象書類名】明細書
【補正対象項目名】００１２
【補正方法】変更
【補正の内容】
【００１２】
また、第２の本発明は、光学フィルタを挿抜可能な撮像装置に装着可能な交換レンズであって、フォーカスレンズを含む撮影光学系と、前記フォーカスレンズの移動量と被写体像の結像位置の移動量との関係についての第１の情報が前記フォーカスレンズの位置ごとに予め記憶された記憶手段と、前記光学フィルタの挿入状態を示す情報と、被写体像の結像位置の移動量についての情報を前記撮像装置から受信し、受信した当該情報、及び前記フォーカスレンズの位置に対応する前記第１の情報に基づいて、前記フォーカスレンズの移動量を決定し当該フォーカスレンズの駆動を制御するレンズ側制御手段とを有することを特徴とする交換レンズである。
【手続補正６】
【補正対象書類名】明細書
【補正対象項目名】００１３
【補正方法】変更
【補正の内容】
【００１３】
また、第３の本発明は、光学フィルタを挿抜可能な撮像装置に装着可能な交換レンズであって、フォーカスレンズ及びズームレンズを含む撮影光学系と、前記フォーカスレンズの移動量と被写体像の結像位置の移動量との関係についての第１の情報が前記フォーカスレンズ及び前記ズームレンズの位置ごとに予め記憶された記憶手段と、前記光学フィルタの挿入状態を示す情報と、被写体像の結像位置の移動量についての情報を前記撮像装置から受信し、受信した当該情報と、前記フォーカスレンズの位置及び前記ズームレンズの位置に対応する前記第１の情報に基づいて、前記フォーカスレンズの移動量を決定し当該フォーカスレンズの駆動を制御するレンズ側制御手段とを有することを特徴とする交換レンズである。